(57)【要約】      （修正有）【課題】手の不自由な身体障害者等が、安全かつ簡単に、入浴中に濡れタオル等を搾ることができる浴用椅子を提供する。【解決手段】椅子の脚部１１と、脚部１１に被さる座部分２０とからなる浴用椅子であって、脚部１１は、所定の高さを有する本体部分１０と、本体部分１０の上面１２に形成された凹部１３とを備えており、座部分２０は、底面に凸部２３を備えており、凹部１３は、脱水した水を排水する排水手段を備えており、凸部２３を凹部１３に挿入することができ、この挿入時に座部分２０の底面が脚部１１の上面１２に被さるようにした。【選択図】図１
2014200420.tif 000002
【特許請求の範囲】
【請求項１】
椅子の脚部を備える本体部分と、当該本体部分に被さる座部分とから成る浴用椅子であって、
当該本体部分は、前記座部分が被さる上面に下方に向かって凹んだ凹部を備えており、
当該座部分は、下面に、下方に向かって突起する凸部を備えると共に、当該凹部には、脱水した水を排水する排水手段が形成されており、
前記座部分が前記本体部分の上面に被さった状態で、前記凸部が前記凹部内に挿入される事を特徴とする、浴用椅子。
【請求項２】
前記凸部の形状が、前記凹部の相似形として形成されており、
前記凸部と前記凹部との相似比（凸部：凹部）が、９０：１００〜９８：１００の範囲である、請求項１記載の浴用椅子。
【請求項３】
前記凹部に形成された排水手段が、前記凹部の内外方向に貫通する孔であって、前記凹部の底面又は側面の少なくとも何れかの領域に設けられている、請求項１又は２に記載の浴用椅子。
【請求項４】
前記凹部は逆向き円錐台形状に凹んで形成されており、
前記凸部の形が前記凹部と相似形であることを特徴とする、請求項１〜３のいずれか一項に記載の浴用椅子。
【請求項５】
前記座部分の側面に、本体部分の上方を内挿する幕板が形成されている、請求項１〜４のいずれか一項に記載の浴用椅子。
【発明の詳細な説明】
【技術分野】
【０００１】
本発明は、身体障害者等の入浴を補助する用具に関し、特に入浴の際に浴場で用いる浴用椅子に関するものである。
【背景技術】
【０００２】
従来、身体障害者の入浴を支援するために提供されている機械器具としては、補助者の存在を前提とするものや、補助者を要せずに身体障害者が自ら使用するものに大別することができる。このうち、補助者の存在を前提として提供されている機械器具は、介護用や介助用として、主に補助者の負担を軽減する観点から工夫が施されている。
【０００３】
そして補助者の存在を前提としない機械器具は、身体障害者等が独りで入浴する際の安全確保や、用具の利便性の向上等の観点から、様々な工夫が施されている。例えば、老人、病弱者、身体障害者等に便利な浴用椅子に関するものとして、特許文献１（特開２０００−３２５４２５号公報）が提案されている。この特許文献１では、人が浴用椅子に腰かけたり、浴用椅子から立ち上がったりする動作を楽にすることを目的として、上端に座面を有する筒状本体の前面部分の左右両側下端からは足引き凹部が形成されている浴用椅子が提案されている。
【０００４】
また、片手のみでタオルの脱水を可能にするために開発された装置として、特許文献２（特開２００６−２９６５４７号公報）が提案されている。この特許文献２では、片手でタオルの脱水をしなければならない人に、操作が簡単で、構造が単純で、浴場などにも携帯できる軽量のタオル脱水器の提供することを課題として、使用中の濡れタオルを脱水装置の円筒に直接流し込む様に入れ、次に円筒の上口から押圧棒でタオルを押圧し、円筒内ではタオルの全ての部分に押圧が働き脱水できる機構によって、片手のみで可能になるタオル脱水器が提案されている。
【先行技術文献】
【特許文献】
【０００５】
【特許文献１】特開２０００−３２５４２５号広報
【特許文献２】特開２００６−２９６５４７号広報
【発明の概要】
【発明が解決しようとする課題】
【０００６】
前述のとおり、従前においても身体障害者等が独りで入浴することを支援するための機械器具は種々提案されてきた。特に前記特許文献２では、誰でもが入浴に際して使用する浴用タオルを片手のみで絞ることができるようにしたタオル脱水器が提案されており、片手が不自由な者の入浴を支援するものとなっている。
しかしながら、この特許文献２で提案されているタオル脱水器は、使用に際して少なくとも片手を用いなければならず、しかも押圧棒でタオルを押圧して絞るほどの力を要するものとなっている。このため、例えば高齢者など、体力が衰えた者にとっては、例え両手が使えたとしても十分に濡れタオルを絞ることが困難になるものと考えられる。
そこで本発明は、体力が弱ったものであっても、濡れタオルを確実に絞ることのできるようにした浴用椅子を提供することを第一の課題とする。
【０００７】
ここで、手を使わずに、体力の衰えた者であっても濡れタオル等を搾るための手段として、タオル等を搾るための機構を電動化することも考えられる。しかし、そのような電動の装置では、これを入浴中の浴室に持ち込むと、湿気や水分などで破損したり、漏電が原因で使用者が感電するおそれもあることから、耐久性及び安全上の問題が生じる。たとえ防水対策をしたとしても、装置の落下や経年劣化等が原因で水の侵入を許し、装置の破損や感電に至る危険は十分に考えられることから、やはりこのような装置を入浴時に使用することが現実的であるとは言い難い。
そこで本発明は、浴場でも安全に使うことができ、手を使わず、更には体力の衰えた者であっても容易にタオルを脱水することができる浴用椅子を提供することを第２の課題とする。
【０００８】
また、一般的な家庭用の浴室はそれほど広くなく、濡れタオル等を脱水するために特別な装置を備えると、さらに狭くなってしまう。浴室が狭くなれば、周囲の物と接触して怪我をしたり、足を取られて転倒するおそれも増し、事故が発生する危険が高まる。そもそも浴室は、石鹸等で足を滑らせ転倒する事故や、心疾患等の発症や悪化による事故が起きやすい場所であり、そのうえ浴室が狭くなれば、転倒時に周囲の物と接触する等して事故がより重大化するおそれがある。このように、浴室が狭くなるということは、事故発生の危険と事故重大化の危険という二重の危険を生み、入浴の際の安全性の確保を困難にする結果となる。
【０００９】
そして浴室では、通常、使用者の利便性を向上させるために浴用椅子が使用されている。この浴用椅子については、前記特許文献１に示されるように立ち上がったり、座ったりする動作を楽にすることが提案されているが、本来的に要求されている椅子の使い勝手を向上させたに過ぎず、椅子本来の機能とは別の機能を兼ね備えるものではない。
そこで本発明は、特別な装置を要せず、浴室に通常あるものを活用することでタオルを脱水する浴用椅子を提供することを第３の課題とする。
【課題を解決するための手段】
【００１０】
すなわち、本発明は、前記課題の少なくともいずれかを解決するべく、濡れタオルを絞る機能を持たせた浴用椅子を提供するものであり、椅子に着座した時の利用者の体重により、濡れタオルを絞ることができるようにした浴用椅子を提供するものである。
即ち、本発明にかかる浴用椅子は、椅子の脚部を備える本体部分と、当該本体部分に被さる座部分とから成る浴用椅子であって、当該座部分の下面には、下方に向かって突出する凸部が設けられており、当該本体部分は、前記座部分が被さる上面に、下方に向かって凹んだ凹部が設けられると共に、当該凹部には、脱水した水を排水する排水手段が形成されており、前記座部分が前記本体部分の上面に被さった状態で、前記凸部が前記凹部内に挿入されるものとして構成される。
【００１１】
前記本体部分の高さは、少なくとも前記凹部の底面が床に着かない高さとすることが望ましく、特に手で支えなくとも安定して着席及び離席ができる高さとすることが望ましい。例えば、一般的な浴用椅子であれば、高さ約２０ｃｍ以上とすることが望ましく、介護用の浴用椅子であれば、高さ３０ｃｍ以上、特に３５ｃｍ〜４５ｃｍ程度にすることが望ましい。
【００１２】
前記本体部分の高さは、脚部の高さによって調整することができる。かかる椅子の脚部は、後述する座部を一定の高さに保持するためのものであり、一般的な椅子と同様に、例えば４本脚のような多脚の構造とする他、一定の高さを有する筒状に形成することもできる。かかる本体部分の接地面となる脚部には、利用者が腰かけた時の体重移動により椅子が滑ることを防ぐために、少なくとも４隅に滑り止めを備えることが望ましい。前記滑り止めは、例えばゴムの樹脂製とすることができる。
【００１３】
また、多脚の構造とした場合において脚相互の位置関係を保持する為、及び後述する凹部を保持・形成する為に、当該本体部分は上面を備える。かかる上面は、脚部の上端間に水平方向に広がる面として形成する他、脚部同士の間に連架されたフレームとして形成することができる。また、後述する座部は脚部の上端で保持する他、この上面で保持することもできる。
【００１４】
そして上記本体部分における上面、望ましくは中央部分には、下方に向かって凹んだ凹部が形成される。この凹部は、濡れたタオルを投入して絞るための空間であり、よって、その容積は、少なくとも一般に浴用として用いられているタオルを投入できる容積以上であることが望ましい。一般に浴用として用いられているタオルには、いわゆるフェイスタオル（サイズ（参考）：３０〜３４ｃｍ×７０〜９０ｃｍ）、いわゆるボディタオル（サイズ（参考）：３５〜４５ｃｍ×１００〜１２５ｃｍ）がある。これらのタオルの厚みは、素材や特有の構造（例えば、石鹸の発泡性を高める加工がしてあるもの）によって異なり、また含水による膨張の程度もタオルによって異なるが、少なくともフェイスタオルを収容できる以上の容積に形成されるのが望ましい。よって、本発明においては、使用するタオルによって凹部の容積は変わってくるものの、少なくとも１００ｃｃ以上の容積とすることが望ましい。
【００１５】
そして前記凹部には、濡れたタオルを絞ったときに発生する水（脱水した水）を排出するための排水手段が形成される。この凹部が備える排水手段は、例えば、前記凹部の側面や底面に形成された内外方向へ貫通する孔や、前記凹部底面から前記脚部の上部方向へ設けられた溝として形成することができる。排水効率の観点では、前記凹部の底面又は側面の少なくともいずれかの領域に、内外方向へ貫通する孔として形成することが望ましい。但し、前記凹部の底面に孔を設けると、底面の強度が低下して押圧時の体重の負荷に耐えられず、底が抜けて破損するおそれがあることから、排水手段として前記孔を設ける場合には、前記凹部の側面のみに前記孔を設けるのが望ましい。また、当該凹部全体の強度を高める上では、前記孔の口径を小さくしたり、前記孔の数を少なくしたり、或いは金属やエンジニアリングプラスチックなど十分な強度をもった材料で形成する等することが望ましい。更に、当該凹部をゴムを含有する柔軟性のある樹脂で形成し、後述する凸部との間でタオルを絞る際に、広がり応力（縮む力）により絞るように形成することもできる。
【００１６】
前記凹部の形状は、例えば、円筒、角筒などの各種筒体形状の他、逆向き円錐台、逆向き角錐台等の逆向き錐台形状に形成することができる。特に角錐台形状では、下がすぼまり上に行くほど径が大きくなる形状であることから、濡れタオル等を前記凹部に投入したときに、投入位置が正確でなくとも側面を滑り落ちて中心付近へ集まるようにすることができる。このため、前記凹部は逆向き錐台形状に形成することが望ましい。
【００１７】
また、前記凹部の一部には、脱水後に座部分を持ちあげなくとも濡れタオル等を取り出すことができるよう、投入したタオルを引き出すための開口部を設けることもできる。前記開口部を前記凹部の底面に設けると、脱水時に十分な押圧ができないおそれがあるため、前記開口部は前記凹部の側面に設けることが望ましい。かかる開口部は、排水手段を兼ねることもできるが、専ら当該開口部だけを排水手段とした場合には、排水と共にタオルも抜け出てしまう恐れがあることから、当該開口部以外にも別に排水手段を設けることが望ましい。
【００１８】
前記本体部分には、座部分が被さるように設置される。この座部分の上面は、前記本体部分の上面を覆うような平坦な面として形成する他、天板全体を中窪み状に湾曲させて形成したり、天板後部を隆起させて着座時に当該隆起部分により臀部が支持されるようにすることで、着座時の安定性を高めることができる。当該座部分は、その下面に下向きに突出する凸部が形成され、これが前記本体部分上面の凹部に入り込み、両者間に厚手のタオルが存在する状態では、当該座部分は揺れてしまうことが考えられる。したがって、利用者が体重をかけて着座した際に、体幹のバランスを崩して転倒することも考えられることから、厚手のタオルを凹部に収容した時でも使用時の転倒を確実に防ぐべく、これらのうち少なくとも何れかの構成によって、着座時の安定性を高めることが望ましい。
【００１９】
また、着座時における利用者の安定性を高める上では、前記本体部分の後部背面に、背もたれを設ける事もできる。但し、背もたれの形状や角度によっては、利用者が背もたれにもたれかかった際に、重心の角度が変化して後方へ転倒することも考えられることから、背もたれを備える場合には、本体部分を周回する筒状の脚部よりも、多脚の構造からなる脚部の方が望ましい。多脚の構造のほうが後方転倒時に発生する力のモーメントへの抗力が高いため、転倒しにくい為である。
【００２０】
また、利用者が着座した時の安定性を高める上では、前記座部分の側面には、幕板を配置することも望ましい。前記幕板は、前記座部分を前記脚部へ被せた際に、前記脚部の本体部分の上方部分を内挿することにより、座部分のぐらつきを抑え、着座時の安定性を高めることができる。前記座部分を前記脚部に被せた時の安定性をより高める観点から、前記幕板は、天板の外周を取り囲むように配置することが望ましい。
【００２１】
また、前記天板又は前記幕板のいずれかには、座部分を足等で持ち上げるための持ち上げ補助構造を設けて、手を使わずとも当該座部分を前記脚部に被せやすくすることが望ましい。当該持ち上げ補助構造としては、例えば、前記座部分又は前記天板の一部に水平方向に突出するハンドル部を形成したり、前記座部分又は前記天板に凹みや開口部を形成することができる。
【００２２】
そして当該座部分の下面には、下向きに突出する凸部を形成する。この凸部は、前記本体部分上面の凹部に内挿されることから、その形状は、前記凹部の形状の相似形となるように形成することが望ましい。着座時の安定性と脱水効率の観点から、前記凸部の外径と前記凹部の内径の割合が、前記凸部を前記凹部に挿入可能であり、かつ、円滑に挿入できる程度の隙間のみが存在する程度の相似比とすることが望ましい。例えば、前記凸部と前記凹部との相似比は、９０：１００〜９８：１００として構成することができる。また、当該凸部は、前記凹部の内径よりも僅かに小さい外形であって、当該凹部の深さよりも短い長さで形成することもできる。この場合、凹部の底面と凸部の下端との間には隙間が生じ、この隙間に濡れタオルを収容して絞ることができる。
【００２３】
本発明にかかる浴用椅子は、例えば、ポリエチレンやポリプロピレン等の合成樹脂素材を射出成形することで作成することができる。かかる浴用椅子は、利用者が裸体で使用することから、製造時には身体を傷つける可能性のある突起物等ができないよう特に配慮して製造することが望ましい。
【００２４】
また本発明にかかる浴用椅子は、通常の浴用椅子より複雑な構造を有するため、比較的清掃しにくいものになるおそれがある。このため、清掃の頻度を少なくするために、水垢等の汚れが付着しにくくなる加工をすることが望ましい。
【発明の効果】
【００２５】
以上のように構成された本発明にかかる浴用椅子によれば、以下の効果を得ることができる。
即ち、本発明にかかる浴用椅子は、モーターなどの殿堂要素を伴わず、動作に電気を使わないことから、浴場で水に濡れたとしても、破損や感電のおそれが無く、よって安全に濡れタオル等を脱水することができる。また、脱水する過程では、必ずしも手を用いる必要がなく、たとえ両手が不自由な人であっても使うことができる。更に、手等の力を使って絞るのではなく、利用者の体重を有効に活用して濡れタオルを絞ることができる為、体力の衰えた者であっても、労せずして確実に濡れタオルを絞ることができる。
よって本発明によれば、浴場でも安全に使うことができ、手を使わずとも、しかも体力の衰えた者であっても、容易にタオルを脱水することができる浴用椅子を提供することができる。
【００２６】
また本発明は、浴室に通常ある浴用椅子を活用しており、濡れタオル等の脱水のための特別な装置を要しない。これにより、余計なスペースを要せず濡れタオル等を脱水することができる浴用椅子を提供することができる。
【００２７】
以上２つの課題を解決することにより、手が不自由な者や、体力の衰えた者が独りで入浴する際にも、安全性及び利便性を高める浴用椅子を提供しており、もって身体障害者等の生活の質を向上させることができる。
【図面の簡単な説明】
【００２８】
【図１】第１の実施形態にかかる浴用椅子を示す全体斜視図。
【図２】第１の実施形態にかかる浴用椅子の使用状態を示す全体斜視図。
【図３】第１の実施形態にかかる浴用椅子の要部断面図。
【図４】第１の実施形態にかかる浴用椅子の本体部分を示す斜視図。
【図５】第１の実施形態にかかる浴用椅子の座部分を示す斜視図。
【図６】第２の実施形態にかかる浴用椅子を示す全体斜視図。
【図７】第２の実施形態にかかる浴用椅子の使用状態を示す全体斜視図。
【図８】第２の実施形態にかかる浴用椅子の本体部分を示す斜視図。
【発明を実施するための形態】
【００２９】
以下、本発明にかかる浴用椅子の実施の形態を、図面を参照しながら詳細に説明する。但し、本発明にかかる浴用椅子の実施の形態は、以下の実施の形態に何ら限定されるものではない。
【００３０】
図１は、本発明にかかる浴用椅子の第１の実施形態を示す全体斜視図である。図１において示されるように、本実施の形態にかかる浴用椅子は、脚部１１と凹部１３を備えた本体部分１０と、凸部２３を備えた座部分２０とで構成することができる。
【００３１】
図４は、この第１の実施形態における浴用椅子を構成する本体部分１０を示す斜視図である。この図に示す様に、前記本体部分１０の中央には、濡れタオル３０を投入する為の凹部１３が設けられており、その底面には脱水された水が排水される孔部１４が複数設けられている。
【００３２】
この本体部分１０は、周りを周回する壁のように形成された四角筒形状の脚部１１と、この脚部１１の上部を閉塞するように展開する上面１２と、この上面１２の中央に下向きに凹んだ凹部１３と、当該凹部１３の底面に内外方向に貫通する孔部１４とで構成している。特に、本実施の形態における本体部分１０は、凹部１３に関する構成以外は、一般的な浴用椅子と同じ形状に形成しており、唯一、その上面１２の中央に、濡れタオル３０を投入するための凹部１３を形成した点が特徴となっている。但し、この本体部分１０における上面１２は、必ずしも平面に形成される必要はなく、フレームなどによって形成することもできる。当該本体部分１０の上には、後述する座部分２０が被せられ、利用者は当該座部分２０に着座できる為である。
【００３３】
また、前記本体部分１０の接地面、即ち脚部１１の下面には、ゴム製の滑り止めを設けてもよい。そして当該本体部分１０の高さは、前記凹部１３の底面が床に着かない高さとして形成されており、後述する座部分２０が載せられた状態において、２０ｃｍ以上の高さに形成されることが望ましい。但し、この高さは、大人用、子供用などの主な利用に応じて適宜変更することができる。そして、この本体部分１０の上面１２には、下方に凹んでいる凹部１３が形成されている。本実施の形態にかかる凹部１３は、逆向き円錐台形状であって、大凡、すり鉢に似た形状に形成されている。これにより、当該凹部１３内に濡れタオル等を投入する際に、その投入位置が正確でなくとも内壁面を滑り落ちて中央付近へ集めることができる。
【００３４】
そして本実施の形態において、当該凹部１３の容積は、２５０ｃｃとして形成している。この大きさであれば、一般的な浴用タオルを十分に絞ることができ、且つ絞っている状態においても座部のぐらつきを極力抑えることができる為である。
また、当該凹部１３の底面には、絞られて（脱水されて）排出された水を排水するための孔部１４が設けられている。この孔部１４は、前記凹部１３の底面を内外方向へ貫通するよう形成しており、少なくとも底面の強度が保たれる程度に、開口径および個数が調整される。但し、この排水のための孔部１４は、底面だけでなく、周面（壁面）に形成することもでき、更に周面（壁面）だけに形成することもできる。
【００３５】
そして上記本体部分１０には、座部分２０を載せることにより、本実施の形態にかかる浴用椅子とすることができる。この座部分２０は、前記本体部分１０の上面１２と同じ形状か、本体部分１０の上面１２よりも一回り大きく形成した形状の座面２１と、この座面２１の周縁部分に袴状に形成された幕板１５と、この座面２１の下面から下方に突出して設けられた凸部２３により構成されている。
座面２１は利用者が着座しやすいように、適宜、人体に沿う湾曲形状（エルゴノミクス形状）に形成することができる。また、前記幕板１５は、前記座面２１の外周を囲むように配置されており、前記座部分２０を前記本体部分１０に被せた際に、前記本体部分１０の上方部分を内挿するように形成されている。その結果、本体部分１０と座部分２０との一体性を高めて、着座時における座面２１のぐらつきを抑え、安定性を高めている。
【００３６】
そして前記座部分２０の下面に形成される凸部２３は、前記本体部分１０の上面１２に形成された凹部１３と相似形に形成されており、本実施の形態では逆向き円錐台形状（すり鉢形状）に形成されている。特に本実施の形態では、凸部２３：凹部１３の相似比が、９５：１００となるように形成することができる。また、当該凸部２３は、その長さを凹部１３の深さよりも短く形成したり、その外径を凹部１３の内径よりも小さく形成することもできる。当該凸部２３が前記凹部１３と同じ大きさであると、凹部１３内に入り込むことができず、また濡れタオル３０を絞った際に座部分２０が浮いた状態になってしまう為である。
【００３７】
図５は、本発明にかかる浴用椅子の第１の実施形態における、座部分２０の裏面側を示す斜視図である。座部分２０の裏面側には、凹部１３に挿入する凸部２３が設けられており、天板の外周を囲むように幕板１５を設けていることを示している。
【００３８】
なお、本実施例の浴用椅子は、例えば、ポリエチレンやポリプロピレン等の合成樹脂素材を射出成形することで作成することができる。また、前記本体部分１０に形成される凹部１３を本体部分１０と一体に形成する他、本体部分１０と凹部１３とを別体に形成した後に、両者を一体化することもできる。凹部１３を別体に形成した場合には、当該凹部１３だけをステンレスなどの金属や、その他の強度の高い材料で形成することもできる。同じように、前記座部分２０も凸部２３を座面２１などと一体形成する他、当該凸部２３だけを別体で形成し、後から座面２１の裏側に設置することもできる。
【００３９】
図２は、前記第１の実施形態における浴用椅子の、使用時における外観を示す斜視図である。この図に示す様に、前記座部分２０を前記本体部分１０の上面１２に被せた際に、前記座部分２０の幕板１５は、前記本体部分１０の上方を内挿することができ、これにより前記座部分２０が本体部分１０に固定され、座面２１へ着座した時の安定性を高めることができる。
【００４０】
図３は、上記第１の実施形態における浴用椅子において、濡れタオル３０を絞る時の凹部１３の内部状態を示す要部断面図である。この図に示す様に、本体部分１０の凹部１３に濡れタオル３０を投入し、本体部分１０に座部分２０を被せることにより、当該凹部内に投入された濡れタオル３０は座部の凸部２３との間に挟まれる。そして座部分２０に利用者が着座することにより、その体重が凹部１３の先端に作用して、凹部１３内で凸部２３により押圧されて脱水されることになる。脱水されてタオルから放出された水は、当該凹部１３の底面などに設けられた孔部１４から排水されることになる。
【００４１】
図６は、本発明にかかる第２の実施形態にかかる浴用椅子を示す全体斜視図である。この図６に示す実施の形態にかかる浴用椅子は、特に高齢者や立ったり座ったりする動作が困難な者が使用するのに適した浴用椅子として具体化されている。
【００４２】
この実施の形態にかかる浴用椅子の本体部分１１０は、４本の脚部１１１と、この脚部１１１の上端に設けられた上面１１２と、この上面１１２の略中央に設けられた下方に凹んでいる凹部１１３と、着座した利用者の背中を保持する背凭れ１１５とで構成されている。特に、本体部分１１０における脚部１１１は、利用者が背凭れ１１６にもたれかかった際でも後方に転倒することが無いように、４本脚の構造としており、その接地面にはゴム製の滑り止めを設けている。
【００４３】
上面１１２の中央に設けられた凹部１１３は、本実施の形態では半球状に形成されている。この凹部１１３は、前記第一の実施の形態における凹部１３と同じように、濡れタオル３０を投入して絞る為の領域として機能する。よって、この半球状に形成された凹部１１３の底付近や側壁付近には、脱水された水を排水するための孔部１１４が形成されている。
【００４４】
図８は、第２の実施形態における浴用椅子の本体部分１１０を示す斜視図である。本実施の形態における凹部１１３には、前記孔部１１４のみならず、側面の一部を開口させて設けた開口部が形成されている。この開口は、濡れタオル等を脱水した後に、座部分１２０を持ちあげなくとも濡れタオル等を取り出せるようにしたものである。かかる開口を設けることにより、利用者が脱水後に濡れタオル等を取り出す際には、軽く腰を浮かせ、脚部１１１の前方等の下方向から開口部へ手を入れて、この開口から絞ったタオルを引き出すことができる。なお、本実施の形態においても、当該凹部１１３の容積は、約２５０ｃｃとして形成している。
【００４５】
そして、この本体部分１１０の上面１１２に被さる座部分１２０は、本実施の形態においては、本体部分１１０における上面１１２の一辺にヒンジなどにより固定されている。よって当該座部分１２０を跳ね上げる事により、前記凹部１１３を出現させることができる。かかる座部分１２０は、前記本体部分１１０の上面１１２を覆う座面１２１と、この座面１２１の周縁に形成された幕板１１５と、座面１２１の中央付近であって、座部分１２０を本体部分１１０に被せた状態において、前記凹部１１３に正対する位置に形成した凸部１２３で構成している。
【００４６】
前記幕板１１５は、前記天板の周縁を囲むように形成されている。よって前記座部分１２０を前記本体部分１１０に被せた際には、当該幕板１１５が前記本体部分１１０の上方を内挿することで、座面１２１の安定性を高めている。但し、本実施の形態にかかる浴用椅子では、座部分１２０は本体部分１１０に対してヒンジにより固定されており、利用者が着座した場合であっても座部分１２０のぐらつきは少ない。よって利用者が着座した時の安定性を高める上では、当該幕板１１５の存在は必須ではない。むしろ利用者が着座した際、座部分１２０の座面１２１と本体部分１１０の上面１１２との間に、体の一部を挟み込むことの無いようにするためのカバーとしての機能を有する。
【００４７】
そして、前記座面１２１の下面には、前記凹部１１３の相似形として半球状に形成した、凸部１２３を備えている。前記凸部１２３は、凹部１１３よりも曲率半径を大きくしたな球面に形成して、凸部１２３の先端（下端）と凹部１１３の底面との間に、タオルを収容する程度の隙間を形成する他、当該凸部１２３と前記凹部１１３とを相似形に形成することもできる。その際、凸部１２３：凹部１１３の相似比は、９５：１００として形成することができる。当該凸部１２３を半球状に形成していることから、座部分１２０を本体部分１１０に対してヒンジや軸等により固定して開閉できるように形成しても、当該凸部１２３が凹部１１３の開口部分や内壁面に当たることなく、円滑に凸部１２３を凹部１１３内に挿入することができる。
【００４８】
図７は、上記第２の実施形態における浴用椅子で濡れタオル３０を絞る時の使用状態を示す斜視図である。前記座部分１２０を前記本体部分１１０に被せた際には、前記座部分１２０の幕板１１５が前記本体部分１１０の上方を内挿することができ、これにより前記座部分１２０が前記本体部分１１０に固定され、座部材に着座した利用者の安定性を高め、同時に着座した利用者の身体の一部が、座部分１２０と本体部分１１０の上面１１２との間に挟み込まれる事態を防止することができる。
【００４９】
以上により構成される本発明にかかる浴用椅子によれば、高齢者など腕力の弱くなった者や、身体障害者等が独りで入浴する場合でも、安全かつ簡単に濡れタオル等を搾ることができる。
特に、手の不自由な者が入浴する場合には、ホームヘルパー等の介助があるのが通常であるが、ホームヘルパー等も常時居るわけではない。汗をかいたり汚れたりして急遽入浴する場合には、介助する人間が居ない場合もあり、このような場合には独りで入浴せざるを得ない。本発明にかかる浴用椅子は、このような場合であっても身体障害者等の入浴の一助となるものであり、身体障害者等の生活の質を向上させるものである。
【符号の説明】
【００５０】
１０（１１０）：本体部分  ，１１（１１１）：脚部  ，１２（１１２）：上面  ，１３（１１３）：凹部  ，１４（１１４）：孔部  ，１５（１１５）：幕板  ，２０（１２０）：座部分  ，２１（１２１）：座面  ，２３（１２３）：凸部  ，３０：濡れタオル  ，１１６：背凭れ
【図１】
2014200420.tif 000003
【図２】
2014200420.tif 000004
【図３】
2014200420.tif 000005
【図４】
2014200420.tif 000006
【図５】
2014200420.tif 000007
【図６】
2014200420.tif 000008
【図７】
2014200420.tif 000009
【図８】
2014200420.tif 000010